Podtech/llm-jp-corpus-v4-ja_patent huggingface dataset:
(57)【要約】【課題】  車両走行時にレールが荷重を受けて沈下し、レールを支える枕木が上下動する変位を利用した発電方法を提案し、自然環境や天候条件等に左右されることがなく、半永久的に発電を行うことができるとともに、既存の線路にも容易に設置可能な車両走行時のレールの変位を利用した発電方法を提案する。【解決手段】  枕木２の上下動で駆動されて作動し、圧油を吐出する油圧ポンプ１０を設け、この油圧ポンプ１０が吐出した圧油で油圧モーター２０を駆動し、油圧モーター２０に連結した発電機Ｇを回転させて発電を行う。【選択図】  図１
2014043797.tif 000002
【特許請求の範囲】
【請求項１】
車両走行時にレール１が荷重を受けて沈下し、レール１を支える枕木２が上下動する変位を利用した発電方法であって、
枕木２の上下動で駆動されて作動し、圧油を吐出する油圧ポンプ１０を設け、
この油圧ポンプ１０が吐出した圧油で油圧モーター２０を駆動し、油圧モーター２０に連結した発電機Ｇを回転させて発電を行う車両走行時の枕木の変位を利用した発電方法。
【発明の詳細な説明】
【技術分野】
【０００１】
この発明は、車両走行時にレールが荷重を受けて沈下し、枕木が上下動する変位を利用した発電方法に関するものである。
【背景技術】
【０００２】
近年、地球温暖化の解決策として、化石燃料によらない再生可能エネルギーの利用が促進されている。その主なものは、太陽光発電や風力発電等の自然エネルギーを利用するものである。一方、構造物の変位を利用した発電手段として、特許文献１に示す方法が提案されている。この発電手段は、橋梁上での車両の通過、天候や自然現象で生じる振動や荷重変化等、橋梁の変位を利用して発電を行い、この電力資源を鋼材の電気防食に用い、橋梁の耐用年数の長期化を図るものである。
【先行技術文献】
【特許文献】
【０００３】
【特許文献１】特開２００４−２７４８１０号公報
【発明の概要】
【発明が解決しようとする課題】
【０００４】
太陽光発電や風力発電等の自然エネルギーを利用する発電は、発電が自然環境や天候条件等に著しく左右される欠点がある。一方、特許文献１に示された発電手段は、発電の用途が限られるとともに、発電装置の新機構造物への設置は可能であっても、既存構造物への設置は事実上不可能であり、適用の範囲が限定される。
【０００５】
この発明は、車両走行時にレールが荷重を受けて沈下し、レールを支える枕木が上下動する変位を利用した発電方法を提案し、自然環境や天候条件等に左右されることがなく、半永久的に発電を行うことができるとともに、既存の線路にも容易に設置可能な車両走行時のレールの変位を利用した発電方法を提案するものである。
【課題を解決するための手段】
【０００６】
上記の目的を達成するため、この発明の車両走行時の枕木の変位を利用した発電方法は、車両走行時にレール１が荷重を受けて沈下し、レール１を支える枕木２が上下動する変位を利用した発電方法であって、枕木２の上下動で駆動されて作動し、圧油を吐出する油圧ポンプ１０を設け、この油圧ポンプ１０が吐出した圧油で油圧モーター２０を駆動し、油圧モーター２０に連結した発電機Ｇを回転させて発電を行うものである。
【発明の効果】
【０００７】
この発明の車両走行時の枕木の変位を利用した発電方法は、車両が走行するごとに油圧ポンプ１０が作動し、圧油が油圧モーター２０へ送油されて油圧モーター２０を駆動し、発電機Ｇを回転させて発電が行われる。油圧ポンプ１０は多数の枕木２に適宜設けられ、列車走行時に多数の油圧ポンプ１０が作動して発電が行われ、自然エネルギーのように自然環境や天候条件等に左右されることがなく、半永久的に発電が行われ、発電に伴う騒音や環境汚染物質の発生も無く、クリーンな再生可能エネルギーである。
【０００８】
また、発電装置は、油圧ポンプ１０と油圧モーター２０を設けた簡単な油圧回路で構成され、発電のための大規模な装置や施設が不要であり、設備コスト、発電コストも安価である。また、既存の線路にも容易に設置可能であり、設置した場合も車両走行の妨げや抵抗を負荷することもなく、適用上の課題も無い等の優れた効果を奏するものである。
【図面の簡単な説明】
【０００９】
【図１】この発明の発電方法の実施例の油圧回路図。
【発明を実施するための形態】
【００１０】
以下に、この発明の実施形態について、図面を用いて具体的に説明する。
図面に、この発明の発電方法の実施例の全体構成を示した油圧回路図を示す。図において、平行間隔の２本のレール１を、その下に適宜のピッチ間隔で敷かれた枕木２で支え、線路が敷設されている。
【００１１】
この線路に図に示す油圧回路が設けられ、車両走行時にレール１が車両の荷重を受けて沈下し、これの緩衝材として枕木２が上下動し、この枕木２の上下動でプランジャー１１が駆動される油圧ポンプ１０が設けられている。油圧ポンプ１０は多数の枕木２に適宜設けられ、列車走行時に多数の油圧ポンプ１０が作動するように構成されている。
【００１２】
この油圧回路に油圧モーター２０が設けられ、油圧モーター２０の出力軸に発電機Ｇが連結されている。油圧ポンプ１０の作動で吐出される圧油を油圧モーター２０へ送油する圧送回路１２が形成され、この圧送回路１２に、アキュームレータ１３、流量調整弁１４が介設されている。
【００１３】
油圧モーター２０の排油を油圧ポンプ１０へ送油する戻り回路１５が形成され、この戻り回路１５にタンク１６、補助ポンプ１７、フィルター１８が介設され、油圧ポンプ１０−圧送回路１２−油圧モーター２０−戻り回路１５−タンク１６−油圧ポンプ１０と作動油が循環する循環路が形成されている。図中、２１は、油圧モーター２０をバイパスする回路に介設した高圧リリーフ弁、２２は、補助ポンプ１７をバイパスする回路に介設した低圧リリーフ弁、２３は、油圧回路の要所位置に介設した逆止弁である。
【００１４】
次に、この油圧回路の作動について説明する。
図示の線路を車両が走行すると、レール１が車両の荷重を受けて沈下し、枕木２が上下動し、この枕木２の上下動でプランジャー１１が駆動されて油圧ポンプ１０が圧油を吐出する。車両が走行するごとに多数の油圧ポンプ１０が作動し、圧油は圧送回路１２から油圧モーター２０へ送油されて油圧モーター２０を駆動する。油圧モーター２０の回転で発電機Ｇの回転子が回転し、発電機Ｇが交流電力を出力し、発電が行われる。
【００１５】
油圧モーター２０の排油は、予圧又は補助ポンプ１７の運転による付加圧によって戻り回路１５からタンク１６へ戻され、再び油圧ポンプ１０へ送油される。このようにして作動油が循環し、次の列車が線路を走行すれば、再び多数の油圧ポンプ１０が作動して発電が行われる。なお、補助ポンプ１７は、作動油の円滑な循環を補助するために用いられ、その消費電力は極めて小さくて足り、図示の実施例において、油圧回路中の安全装置や各種計器、センサー等の作動状況は、監視装置によって自動又は目視で監視され、作動油の円滑な循環と装置の安全且つ安定した運転が図られている。このようにして発電された電力は、列車走行システムの電力として自己消費するように構成することもできる。
【符号の説明】
【００１６】
１  レール
２  枕木
１０  油圧ポンプ
２０  油圧モーター
【図１】
2014043797.tif 000003
(57)【要約】      （修正有）【課題】近年における気候変動に対応し、乾季における汚泥や砂等の堆積、雨季における大雨に適応できる配管方式を提供する。【解決手段】排水溝が配管工事現場の東西南北いずれの方向にあっても、常に二ヶ所以上の排水口を確保し、配管口径を従来の物の１．５倍乃至２倍にすることにより、専門業者の助けを借りる事無く容易に管内清掃が出来るようにし、大雨の際、排水に窮することが無いようにする。【選択図】図１
2014043758.tif 000002
【特許請求の範囲】
【請求項１】
ＷＨ工法による配管工事方式
【発明の詳細な説明】
温暖化の影響か、近年超異常気象現象とも言えるような。自然災害が多発し。なかんずく、大雨による大洪水の被害は、人的にも経済的にも、絶大成る損害をもたらし、それは、まさに、眼を覆うべき物が有り。多くの人々を苦しめている。是が解消に幾ばくかなりとも、貢献すべく、ＷＨ工法による配管工事方式を発明。是の工法による配管工事方式は現在の戸建、ビル等の配管工事現場に於いて実施されているＬ字型やコの字型工法に拠る配管工事方式を根底から変換する物である。これまでの配管工事方式では、雨排水を一カ所に統合集約し。且つ配管の口径が小さい為、流水に大きな抵抗が生じ。排水能力を超えた雨水は管外に散溢し災害の要因となり。乾季には汚泥や砂等が大量に堆積し。雨季の排水に適応していない場合が多々生じている。ＷＨ工法による配管工事方式は、配管工事現場の東西南北、何れの方向、場所に排水溝が有っても、常に２ヵ所以上の、排水口が確保出来、配管の口径を従来の物の１，５倍乃至２倍の物を使用する事により。管詰まり清掃の専門業者の助けを借りる事無く、一般の主婦でも容易に管内清掃が出来、大雨の際の排水に窮する事が無くなる。
【技術分野】
【０００１】管工事施工技術分野
【背景技術】
【０００２】
【先行技術文献】
【特許文献】
【０００３】
【特許文献Ｉ】
【特許文献２】
【非特許文献】
【０００４】
【非特許文献１】
【非特許文献２】
【発明の概要】
【発明が解決しようとする課題】現在、配管工事現場で実施されている工法と工事方式が、現況に即して居ない状況を変革し、近年の気候変動に即応させる
【課題を解決する為の手段】
現在、配管工事現場に於いて実施されている、Ｌ字型並びにコの字型の工法工事方式をＷＨ型工法と工事方式に変更し配管の口径を１．５乃至２倍にする
【発明の効果】
戸建、ビル等を始めとする配管工事後に於ける排水不能の解消
【図面の簡単な説明】現在の配管工事現場において実施されているＬ字型並びにコの字型工法による、配管工事方式とＷＨ型工法による、工事方式の比較展開図
【図１】
【図２】
【発明を実施する為の形態】
戸建、ビルその他の配管工事現場に於いて排水溝に面し、ＷＨ型に成るように管を配置し施工する
【実施例】現在の施工現場に於いて是の実施例を見た事は無い
【産業上の利用可能性】配管工事現場に於いて必要欠くべからざる工法、工事方式と認識され、管工事業者を始め各種建設業者の利用要望が見込まれ、管製造業に於ける増産の要請も見込まれる。ひいては物流運輸業にも波及し、失業者に就労の場を提供する可能性も無くは無い
【符号の説明】  １
２
３
４
【受託番号】
【図１】
2014043758.tif 000003
【図２】
2014043758.tif 000004
【手続補正書】
【提出日】平成24年11月6日(2012.11.6)
【手続補正１】
【補正対象書類名】明細書
【補正対象項目名】全文
【補正方法】変更
【補正の内容】
【発明の詳細な説明】
【技術分野】
【０００１】チエーンブロックを製造する機械製造工業の有する技術
木造、並びに鉄骨、及び鉄筋コンクリートビルの建築、建設技術との併用に拠る技術
【背景技術】
【０００２】チエーンブロックを製造する機械製造工業技術、木造、鉄骨、鉄筋コンクリートビルの建築、建設技術
【先行技術文献】
【特許文献】
【０００３】
【０００４】
【特許文献１】特開２００１−２３３５号広報
【特許文献２】特開２００６−３６３９９号広報
【非特許文献】
【０００４】
【０００５】
【非特許文献Ｉ】電気二重層キャパシタ蓄電式エレベーターのロードレベリング方式
【非特許文献２】「非特許文献のイメージデータに関するスキャナー式」について  ［ＩＮＰＩＴ］「情報管理部業務補助（非特許文献の書誌．イメージデータ作成．．．
【発明の概要】
現在、大企業によって製造販売されているエレベーターは、個人向け、中小企業、商店向けとしては高価で有り。建築、建設業との連携に於いても容易に採用し難い所が有る。故に是を求めている人々の要求を満たしていないきらいが有る今日、高齢化が進み一人暮しの独居家庭が増加している。是のような非力な人々を救護し。国の至る所で発生している。大水害や大災害から、生命財産を護る為、簡易で安価なチエーンブロックを使用し。安全簡易で安価なエレベーターを考案した。
【発明が解決しようとする課題】全国の至る所で発生している大水害、大災害から生命財産を護る
【課題を解決する為の手段】
チエーンブロックを使用した簡易エレベーターを製作し此れを活用
【発明の効果】
大水害、大災害から生命財産を護り人的、物的、経済的損害損失を軽減させる
【図面の簡単な説明】
【図１】チエーンブロックを使用した簡易エレベーターを個人住宅向けに設置した図
【図２】エレベーター各部の主要寸法
【図３】＋電気を帯びた金属のバー又はマグネットに拠る反発力を用いる為の図
【図４】天蓋の左端に＋の電気を帯びた金属のバー又はマグネットを取り付ける図
【図５】天蓋をスライドさせる為のスライド溝
【図６】エレベーターの横ぶれを防止し上下動の際に安定させる為のワイヤー
【図７】エレベーターの横ぶれ防止と上下動の安定の為にワイヤーを固定する止め金
【図８】止め金を内蔵したボックスの展開図
【発明を実施する為の形態】
チエーンブロックを使用した簡易エレベーターを製作し此れを活用
【実施例】現在の所、其の例を見た事は無い
【産業上の利用可能性】大中小の建築物、建設物、建造物の在る所、是の簡易エレベーターは大いに活用されるものと思はれる
【符号の説明】符号の説明は省略
【手続補正２】
【補正対象書類名】図面
【補正対象項目名】全図
【補正方法】変更
【補正の内容】
【図１】
2014043758.tif 000005
【図２】
2014043758.tif 000006
【図３】
2014043758.tif 000007
【図４】
2014043758.tif 000008
【図５】
2014043758.tif 000009
【図６】
2014043758.tif 000010
【図７】
2014043758.tif 000011
【図８】
2014043758.tif 000012
【手続補正３】
【補正対象書類名】特許請求の範囲
【補正対象項目名】請求項１
【補正方法】変更
【補正の内容】
【請求項１】
チエーンブロックを使用した簡易エレベーター
(57)【要約】      （修正有）【課題】乗車中の突然の水害、濁流とともに瓦礫などにより、緊急避難時の場所を失った事態に対する車両の乗員保護手段を提供する。【解決手段】車両のエンジンルーム１、ルーフパネル２、トランクルーム３、リアフェンダー４、フロントフェンダー５、ドアパネル６及びルームフロアパネル７の半密閉空間に発泡体を予め組み込んでおき、緊急避難時の場所を失った事態にセンサーまたは手動で発泡体の充填を行い、車両をフロート化する。【選択図】図１
2014043231.tif 000002
【特許請求の範囲】
【請求項１】
予めフロート化を目的とした発泡体の組み込み、または発泡ウレタン、スチロールの充填。
【請求項２】
緊急時、通常使用の目的を失う、エンジンルーム、ルーフパネル、トランクルーム、リアフェンダー、フロントフェンダー、ドアパネルドアパネル、ルームフロアパネル、発泡ウレタンの緊急充填にによるフロート化。
【発明の詳細な説明】
【技術分野】
【０００１】  本発明は、半密閉空間に発泡体を組み込む、または発泡ウレタンの充填で車両の水没と乗員保護する発明である。
【背景技術】
【０００２】  従来、車両の梱包、水没時に浮き袋事などの水没の回避、人員の保護を目的としていた。
自動車防水カバー      （特許文献１参照）
車両の水没防止装置    （特許文献２参照）
【先行技術文献】
【特許文献１】
【０００３】
【特許文献１】  特開２００２−１４４８８５号広報
【特許文献２】  特開２００７−３３１６９８号広報
【発明の概要】
【発明が解決しようとする課題】
【０００４】  水害の予測から車両の浸水を防ぐ方法は提案されており、乗員の保護を目的としていない。
エアバックでは瓦礫には対応できず突然の水害には不十分であった。
乗車中の突然の水害で濁流、瓦礫などにより閉ざされ避難場所を失う、避難中での濁流、瓦礫の遭遇で車両内の乗員の保護を必要としていた。
本発明は以上の問題点を解決するためになされたものである。
【課題を解決するための手段】
【０００５】  車両には半密閉空間は多数有り  エンジンルーム、フロントフェンダー、リアフェンダー、トランクルーム、ドアパネル、ルーフパネル、ルームフロアパネル、フレームなど、発泡体の組み込み、発泡ウレタンなどの充填で車両に浮力を得えフロート化する。
半密閉空間で構造、コスト、損傷することで密閉することのできない個所に、予め発泡体を組み込む、または充填しフロート化に備える。
緊急時通常使用の目的を失い人命の優先では、エンジンルーム、ドアパネルの部品の密集した空間の分散箇所、トランクルームの容量変化のある箇所、フレームなど構造上の半密閉空間を発泡ウレタンなどの緊急充填によりフロート化する。
以上の構成による発泡体による車両フロートである。
【発明の効果】
【０００６】  避難中突然の濁流などで車両の水没、瓦礫で避難場所が無い、脱出できないなど、乗員の保護と水没を防ぐための車両のシェルター化を可能にする。
緊急時、センサーの作動、または手動により各部の緊急充填可能な箇所がフロート化され、水没から回避することができ。エンジンルーム、ルーフパネル、トランクルーム、リアフェンダー、フロントフェンダー、ドアパネル、ルームフロアパネルでは浮力とともに強度の向上と乗員の保護に繋がる。
【図面の簡単な説明】
【０００７】
【図１】本発明のイメージ図である。
【発明を実施するための形態】
【０００８】  本発明を実施するための形態を説明する。
発泡剤組み込み、充填可能の箇所、エンジンルーム（１）ルーフパネル（２）トランクルーム（３）リアフェンダー（４）フロントフェンダー（５）ドアパネルドアパネル（６）ルームフロアパネル（７）
各、半密閉空間への発泡体の組み込み、または緊急時の通常使用が失しなわれ、乗員保護を優先しセンサーまたは手動で発泡体の充填を行う箇所である。
【符号の説明】
【０００９】  １エンジンルーム  ２ルーフパネル  ３トランクルーム  ４リアフェンダー  ５フロントフェンダー  ６ドアパネル  ７ルームフロアパネル
【図１】
2014043231.tif 000003
(57)【要約】【課題】  車のエンジンが始動したまま（ドアロック解除＝セキュリティＯＦＦの状態）車から離れた間に車両を盗難される危険がある。  エンジンを始動してもセキュリティが働くシフトロックシステムを提供する。【解決手段】  車のエンジンを始動し、ドアロックスイッチでロックをすると、フロントドアインサイドベゼルの中に設けたアース入力スイッチが、ロックレバーに押されて、インバータ回路の出力反転で、リレーがＯＦＦになり、暗証番号キットの信号でセットリレーがＯＮになり、約３秒以内であればチェンジレバーを動かせることを特徴とするセキュリティシフトロックシステム。【選択図】図１
2014043229.tif 000002
【特許請求の範囲】
【請求項１】
オートマチックの車のブレーキペダルを踏んでエンジンを始動し、ドアロックスイッチでロックをすると、フロントドアインサイドベゼルの中に設けたアース入力スイッチが、ロックレバーに押されて、インバータ回路の出力反転で、リレーがＯＦＦになり、暗証番号キットの信号でセットリレーがＯＮになり、約３秒以内であればチェンジレバーを動かせることを特徴とするセキュリティシフトロックシステム。
【発明の詳細な説明】
【技術分野】
【０００１】  本発明は、車両盗難を少しでも未然に防げるように工夫したセキュリティシフトロックシステムに関するものである。
【背景技術】
【０００２】  従来、車のセキュリティはエンジンが始動のときは、セキュリティがＯＦＦになっている。
【発明の概要】
【発明が解決しようとする課題】
【０００３】  そのために、次のような問題点がある。
車のエンジンが始動のときは、車から離れた間に、車両を盗難される危険があった。
本発明は、以上の問題点を解決するためになされたものである。
【課題を解決するための手段】
【０００４】  オートマチックの車のブレーキペダルを踏んでエンジンを始動し、ドアロックスイッチでロックをすると、フロントドアインサイドベゼルの中に設けたアース入力スイッチが、ロックレバーに押されて、インバータ回路の出力反転で、リレーがＯＦＦになる。
暗証番号キットの信号でセットリレーがＯＮになる。
約３秒以内であれば、チェンジレバーを動かせる。
以上のような構成よりなるセキュリティシフトロックシステムである。
【発明の効果】
【０００５】  本発明により、車のオーナーにしか車が動かせないので、車両盗難が未然に防げるようになる。
【図面の簡単な説明】
【０００６】
【図１】  本発明の実施例を車内から見た状態を示した斜視図である。
【図２】  本発明が機能しているときの回路図である。
【図３】  本発明の一部である暗証番号キットを設置した実施例を車内から見た状態を示した斜視図である。
【図４】  本発明の一部である暗証番号キットのイメージ拡大図。
【発明を実施するための形態】
【０００７】  以下、本発明の実施の形態について説明する。
オートマチックの車のブレーキペダルを踏んで、エンジンを始動し、ドアロックスイッチ（１）でロックをすると、フロントドアインサイドベゼル（２）の中に設けたアース入力スイッチ（３）がロックレバー（４）に押されて、インバータ回路（５）の出力反転でリレー（６）がＯＦＦになり、暗証番号キット（７）の信号でセットリレー（８）がＯＮになり、約３秒以内であればチェンジレバーを動かせる。
本発明は、以上のような構成である。
本発明を使用するときは、車のブレーキペダルを踏んで、エンジンを始動し、ドアロックスイッチ（１）でロックをすると、アース入力スイッチ（３）がロックレバー（４）に押されて、インバータ回路（５）の出力反転でリレー（６）がＯＦＦになる。
暗証番号キット（７）の信号で、セットリレー（８）がＯＮになる。
ブレーキスイッチからの電流がセットリレー（８）とリレー（６）を介してシフトコントロールスイッチに入力されると、赤のＬＥＤ（９）が点灯する。
約３秒以内にチェンジレバーを動かさないと、チェンジレバーが動かなくなる。
なお、シフトロック解除ボタンを押してもシフトロックが解除できないようにしてある。
また、車のオーナー以外の人が車を動かすときは、エンジンを始動させ、ドアロックスイッチ（１）でロックをして、暗証番号キット（７）を入力して約３秒以内に暗証番号キット（７）の傍に設けた入力スイッチ（１０）を押すと、ラッチングリレー（１１）がＯＦＦになる。
緑のＬＥＤ（１２）が点灯し、通常に車を動かすことができる。
また、車をオーナー以外の人が動かせなくするには、エンジン（イグニッション）スイッチを押してＯＮにし、暗証番号キット（７）の傍に設けた、リセットスイッチ（１３）を押すと、ラッチングリレー（１１）がＯＮになる。
緑のＬＥＤ（１２）が消灯し、車のオーナー以外の人が動かせなくなる。
【符号の説明】
【０００８】    １    ドアロックスイッチ
２    フロントドアインサイドベゼル
３    アース入力スイッチ
４    ロックレバー
５    インバータ回路
６    リレー
７    暗証番号キット
８    セットリレー
９    赤のＬＥＤ
１０  入力スイッチ
１１  ラッチングリレー
１２  緑のＬＥＤ
１３  リセットスイッチ
【図１】
2014043229.tif 000003
【図２】
2014043229.tif 000004
【図３】
2014043229.tif 000005
【図４】
2014043229.tif 000006
(57)【要約】【課題】オーディオ入力信号が急に小さくなった場合に、残響などの音響効果音のみが聞こえることを防止するオーディオ再生装置を提供することを目的とするものである。【解決手段】オーディオ入力信号から音響効果音を生成する音響効果生成器１０１と、オーディオ入力信号と音響効果音を加算する加算器１０２と、オーディオ入力信号から音響効果音を制御する音響効果制御器１０３を備える。これにより、残響などの音響効果音のみが聞こえるという期間をオーディオ入力信号から適切に検出し、音響効果音をミュートするため、残響などの音響効果音のみが聞こえる違和感を防止することが可能である。【選択図】図１
2014191253.tif 000002
【特許請求の範囲】
【請求項１】
オーディオ入力信号から音響効果信号を生成する音響効果生成器と、前記オーディオ入力信号と前記音響効果生成器から生成された音響効果信号を加算する加算器と、前記音響効果生成器を前記オーディオ入力信号に基づいてミュート制御する音響効果制御器を備えたことを特徴とするオーディオ再生装置。
【請求項２】
前記音響効果制御器は、前記オーディオ入力信号、または、前記オーディオ入力信号と前記音響効果信号との比が所定の閾値以下になった場合に前記音響効果生成器をミュートすることを特徴とする請求項１に記載のオーディオ再生装置。
【発明の詳細な説明】
【技術分野】
【０００１】
本発明は音響効果付加機能を有するオーディオ再生装置に関するものである。
【背景技術】
【０００２】
従来の音響効果付加機能を有するオーディオ装置として、再生側の制御に連動した音響効果付加の制御とミューティングの制御を制御部で行う構成のオーディオ信号再生装置が知られている（例えば特許文献１参照）。
【先行技術文献】
【特許文献】
【０００３】
【特許文献１】特許第４００３０５０号公報
【発明の概要】
【発明が解決しようとする課題】
【０００４】
しかしながら、従来の音響効果付加機能を有するオーディオ装置においては、音響効果付加の制御が再生側の制御に連動するために、音響効果付加機能をミューティングする制御に遅延が生じてしまうという問題があった。
【０００５】
本発明は、従来の問題を解決するためになされたもので、オーディオ入力信号を解析することで音響効果を遅延無く適切なタイミングで制御できる音響効果付加機能を有するオーディオ装置を提供することを目的とする。
【課題を解決するための手段】
【０００６】
上記目的を達成するために本発明は、音響効果を生成する音響効果生成器と、音響効果生成器から生成された音響効果信号とオーディオ入力信号を加算する加算器と、音響効果生成器を制御する音響効果制御器という構成を有する。
【発明の効果】
【０００７】
本発明によれば、オーディオ信号分析結果から音響効果信号の付加を適切なタイミングで制御するため、音響効果付加音のみが聞こえるという違和感のある音を防ぐ効果を奏する。
【図面の簡単な説明】
【０００８】
【図１】本発明の実施の形態における音響効果付加機能を有するオーディオ再生装置のブロック図
【発明を実施するための形態】
【０００９】
以下、本発明の実施の形態におけるオーディオ再生装置について図面を参照しながら説明する。
【００１０】
図１は本発明の実施の形態におけるオーディオ再生装置のブロック図である。
【００１１】
図１において、オーディオ再生装置１００は、ＣＤ再生デッキ回路などから送られてくるオーディオ信号から入力し、オーディオスピーカ装置へと出力するように構成されている。
【００１２】
オーディオ再生装置１００は、ＣＤ再生デッキ回路などから入力されたオーディオ入力
信号から音響効果を生成する音響効果生成器１０１と、オーディオ入力信号と音響効果生成器１０１によって生成された音響効果信号を加算する加算器１０２と、音響効果生成器１０１を制御する音響効果制御器１０３とで構成されている。
【００１３】
以上のように構成されたオーディオ再生装置について、図１を用いてその動作を説明する。
【００１４】
まず、ＣＤ再生デッキ回路などから入力されたオーディオ入力信号は、音響効果生成器１０１に入力される。
【００１５】
音響効果生成器１０１は、オーディオ入力信号から残響効果などの音響効果信号を生成する。
【００１６】
音響効果生成器１０１から生成された音響効果信号とオーディオ入力信号が加算器１０２に入力される。
【００１７】
加算器１０２は、音響効果信号とオーディオ入力信号を加算して、音響効果を付加した信号をオーディオ出力信号として出力する。
【００１８】
このように、残響などの音響効果を付加することで、臨場感を向上させることができる。
【００１９】
しかし、残響などの音響効果が一定時間持続する処理の場合、入力信号が急に小信号になると、残響などの音響効果信号の方が大きくなることが考えられる。
【００２０】
そのような場合、残響などの音響効果信号のみが聞こえてしまい、ユーザーに違和感を与えてしまうことが考えられる。
【００２１】
また、違和感を確実に防止するために、再生制御と連動することなくオーディオ入力信号を解析する必要がある。
【００２２】
そのために、音響効果制御器１０３を設けている。オーディオ入力信号が音響効果制御器１０３に入力される。
【００２３】
音響効果制御器１０３は、オーディオ入力信号がある閾値を下回った場合に、音響効果生成器１０１をミュート制御する。
【００２４】
ミュート制御とは、音響効果生成器１０１の内部メモリの初期化と音響効果生成器１０１の出力信号をミュートすることである。
【００２５】
なお、オーディオ入力信号だけでなく、オーディオ入力信号と音響効果信号の比が閾値を下回った場合に音響効果生成器１０１をミュートする制御を行っても良い。
【００２６】
音響効果制御器１０３によって、音響効果生成器１０１がミュート制御された場合、オーディオ入力信号は音響効果が付加されることなくオーディオ入力信号がそのまま出力される。
【００２７】
以上のように本実施の形態によれば、オーディオ入力信号から音響効果音を生成する音響効果生成器と、オーディオ入力信号と音響効果音を加算する加算器と、オーディオ入力信号から音響効果音を制御する音響効果制御器を備えることにより、残響などの音響効果
音のみが聞こえるという期間をオーディオ入力信号から適切に検出し、音響効果音をミュートするため、残響などの音響効果音のみが聞こえる違和感を防止することが可能である。
【産業上の利用可能性】
【００２８】
本発明のオーディオ再生装置は、オーディオ入力信号に残響などの音響効果を付加する際に、オーディオ入力信号から残響などの音響効果音のみが聞こえる期間に音響効果音を適切にミュートするため、残響などの音響効果音のみが聞こえることを防止する効果を有し、音響効果の付加機能を有するオーディオ再生装置として有用である。
【符号の説明】
【００２９】
１００  オーディオ再生装置
１０１  音響効果生成器
１０２  加算器
１０３  音響効果制御器
【図１】
2014191253.tif 000003
(57)【要約】【課題】          アフィリエイト系ネットショップ「てぶらば」とは、ネット上に出店されたあらゆるネットショップ（あらゆる商品を取り扱う）を円滑に検索するだけでなく、購入者にとって閲覧しやすく、使いやすい店舗でなければならない。          つまり、膨大なストアのデータ及び、商品・アイテムのデータの量を誇示するだけではなく、それをいかにして、消費者、購入者及び、訪問者に対して一覧可能な、店舗設計にするかが肝要だ。【解決手段】          検索結果を表示する際、並び順を逆にすることによって、検索結果を俯瞰し、その全体像及び、内容の把握が容易になった。プラス、端末機の大きさに応じて、商品棚の幅が縮小したり拡大したりするようにした。【選択図】図１
2014191820.tif 000002
【特許請求の範囲】
【請求項１】
いわゆる通常の大手一般検索サイト（楽天市場、ヤフージャパン・ショッピング、アマゾンなど）においては、提供される商品データのリスポンス（Ｒｅｓｐｏｎｓｅ）つまり、出力形式は、その指定数のデータに対して与えられる並び順を、条件に見合ったすべてのアイテム（Ｉｔｅｍ）つまり、商品に対して行うので、例えば「お値段の安い順」というソート（Ｓｏｒｔ）指定［ここでは、”並び順”という意味で使う］をひっくり返した「お値段の高い順」というソート指定は可能になっておる訳ですが、結果として１０００でしたら１０００の、検索条件に見合った商品の中においての、逆並べ替えをしているに過ぎない。
てぶらばでは、大手一般検索サイトから頂いたウェブデータを、いったん検索順位をひっくり返して表示することで、閲覧される方が、マウスなどを使ってスクロールなどしながら商品の一覧を閲覧する場合、ランキングの下位から上位に向かって閲覧する形となり、膨大なデータの中では（たとえば１０００のうちの３０）上位にランクインされている商品が、検索結果では、まるで、最下位にランクされてしまった商品であるかのような印象を訪問者に与えない意味があり、ランキング自体も、上位に向かって閲覧することになるので興奮しながら、楽しく閲覧できる。
【請求項２】
てぶらばでは、商品自体の写真以外の情報、お値段や商品説明の部分のいわゆるテキスト分に関し、セル（Ｃｅｌｌ）ここでは、商品棚と呼びますが、その商品棚の横幅をパーセンテージ指定にすることによって端末受像機の大きさに対応す表示を可能にした。
【発明の詳細な説明】
【技術分野】
【０００１】電子商取引のビジネスモデル
【背景技術】
【０００２】
【先行技術文献】
【特許文献】
【０００３】
【特許文献１】
【特許文献２】
【非特許文献】
【０００４】
【非特許文献１】ＺＡＰＡ：著「公開ＡＰＩ活用ガイド」：Ｉ−Ｏ  ＢＯＯＫＳ：［単行本］日付け  ページ
【非特許文献２】
2014191820.tif 000003
【発明の概要】
ネットショップが果たすべき社会的地位の向上の為に、検索結果を指定条件に応じて通常返されるリスポンス（Ｒｅｓｐｏｎｓｅ：返答、出力）の順位を逆転させ、よりユーザー（Ｕｓｅｒ：訪問客）にとって、一覧しやすく、使いやすい物とした。
【発明が解決しようとする課題】          ネットショップにおいて、膨大な商品データの中から、検索条件に応じて抽出される、絞り込まれた商品データは、ユーザー（Ｕｓｅｒ：訪問客）から見て、分かり安くて、見安い物でなければならない。
【課題を解決するための手段】          通常検索結果は、指定条件に応じて最上位から表示されるわけですが、それを、下位から上位に向かって表示することにした。
【発明の効果】            ネットショップで商品を探したい、と考える方が見やすくて、検索しやすいブラウジング（Ｂｒｏｗｓｉｎｇ）つまり、表示形式の改良により、より多くの訪問者、消費者、つまりお客様を呼び込む効果が期待できる。
【図面の簡単な説明】
【図１】は、特許請求の範囲の請求項１に書いてあることを図解したものである。
【発明を実施するための形態】
【実施例】            これは、「てぶらば」においてすでに公開されている“ラーメン”を紹介及び、販売するサイトのプログラムの、抜粋である。
2014191820.tif 000004
構文（ｆｏｒ構文）で引き出されるｉは、０から２９にむかって一つずつ加算されるが、“｛  ｝”のなかに放り込まれたｉは、２９に対して引き算を行いｊに、３０に対して引き算を行いｚに、変換され、ｚは順位、ｊは、実際の商品データを引き出す際の変数として用いる。
【産業上の利用可能性】大いにあると考えられる。
【図１】
2014191820.tif 000005
(57)【要約】【課題】  本発明は指先の肥大、鈍磨、変形などよる身体的特徴や障害を補助し、小型携帯端末におけるタッチ入力を容易にするための入力ペンである。【解決手段】  本発明は利き手中指を３のコイル状本体に挿入し、１のペン先を中指の斜め上方にセットすることにより、指先機能の補助をするものである。【選択図】図２
2014191819.tif 000002
【特許請求の範囲】
【請求項１】
ペン先に導電性素材を配したペンにコイル状の導電性金属棒を接続し、指先に挿入することにより、静電容量方式におけるタッチパネル入力の際、指先の鈍麻、痺れ、肥大、変形、疼痛、などによる機能低下を補うものである。
【請求項２】
指先における機能の程度に応じ、渦巻きの回数を１回から４回程度に設定することにより、健常者から障害者まで幅広い層に適応できる。
【発明の詳細な説明】
【技術分野】
【０００１】  本発明は小型のタッチパネルを配するスマートフォンなどにおける指先入力を補助するためのＩＴ関連周辺機器に関するものである。
【背景技術】
【０００２】  従来、指先にて画面にタッチ入力する際、指先の、鈍麻、痺れ、肥大、変形、疼痛、などの障害がある場合、誤入力の元となり、従って、指先を使用せず、入力用ペンを使用する場合が多い。
従来のタッチパネル入力ペンにあっては、タッチペンやスタイラスペンという名称にて販売されており、通常の鉛筆やボールペンを把持する動作と同様の方法で入力するものである。
従来の方法においては、人差し指にて入力する方法とは異なり、ペン本体を把持するという動作が必要であり、入力が断続した場合など、その都度ペンを持ち直す必要があり、置き忘れの元となっている。
近年スマートフォンの普及がめざましく、高齢者への普及も加速している中従来の技術では、これらの問題を解決する手段を持たない。
【発明が解決しようとする課題】
【０００３】  スマートフォンなどの小型端末機器においては、本来、人差し指にてタッチ操作されるよう設計されている。そしてメールなどの文字入力においては、指をはねて操作するフリック操作技術を持たない者は、キーボード入力を余儀なくされている。しかし、キーボード入力は画面が小さいことから、誤入力が多い。さらに、指先の肥大、鈍麻、痺れ、浮腫、変形、疼痛などの身体的特徴や障害がある場合、入力が困難になっている。
そのため、指先の代わりに、ペンを利用する場合があるが、スマートフォン本体を片手で持ち、もう一方の手にペンを把持する為に、両手がふさがってしまう。結果的に、小型携帯端末機器の本来の利便性である、いつでもどこでも使える機能  を十分果たせない。それは、ペンを出し入れしたり、なくしたりすることが頻繁に起こるからである。
そこで、これらの欠点を解消しペンを把持する動作を必要とせず、指先機能の補助をしようとするものである。
【課題を解決するための手段】
【０００４】  本発明は、コイル状の導電性金属の先端に人の指先の代わりになりうる通電性素材を配したペンを指に装着することにより、スマートフォンなどの小型端末機器における本来の入力方法を可能にする物である。
【発明を実施するための形態】
【０００５】  使用者は、まず利き手人差し指を、本発明のタッチパネル入力用指先機能補助装置のコイル状中心部に挿入する。
この時、使用者の指の太さに合わせて、可塑性を持ったコイル状金属を変形させながら指に密着させる。さらに先端の入力部分が指先の代わりになるよう、左右どちらかに配することが出来るように、装置全体を回転させたり、変形させたりして調節する。この際、本装置の先端が指先より少し前に出るように設定することにより、使用者本人の指と重ならないようにする。
このことにより、指先が直接画面に触れないように出来るとともに、使用者の第一関節から第二関節医にまたがって指を拘束することにより、ある程度固定できるため請求項１に記載の、指先の鈍麻、痺れ、肥大、変形、疼痛、などの障害を補助できる。
また、特に障害がない場合には請求項２に記載の、コイルの巻き数を少なくし指の、第一関節と第二関節の間に固定することにより、軽量化と簡素化が図れる。
【実施例】
【０００６】  以下添え付き図面に従って一実施例を説明する。１は、静電容量式タッチパネルに入力する為の先端部品で導電部材を用いたペン先である。２は、１のペン先を固定するためのソケットａで導電性部材を用いた物である。３は、ソケットａと、本体をつなげるためのソケットｂで導電性部材を用いた物である。４は、コイル状本体で使用者本人が簡単に形状を変形させることができる可塑性をもった導電性部材を用いた物である。５は、本体の末尾に取り付けられた球形の保護部品である。【０００７】  本発明の一実施例は上述の如き構成からなるものであるから、使用者にあっては、入力をするための利き手人差し指に、４のコイル状本体を挿入する。
この時、本体を変形させながら人差し指に密着するように、調節する。【０００８】  次に４のコイル状本体先端部に取り付けられた１のペン先が、人差し指の真横に配されるように、コイル状本体を回転させながら調節しながら、さらに人差し指より上方に１０ｍｍ程度突出するように、調節する。【０００９】  この際、請求項１に記載された指先の鈍麻、痺れ、肥大、変形、疼痛、など使用者個人の、身体的特徴や障害に合わせ、ペン先の位置を調節する。【００１０】  次に、入力の際、人差し指の第一関節と第二関節の若干屈曲させることによりペン先の位置を視認しやすくなることにより、入力が容易になる仕組みである。【００１１】  また、請求項２に記載された指先機能の程度に応じ、コイルの巻き数を減らすことにより、軽量、簡素化された物の実施例を図３に記載する。
【発明の効果】
【００１２】  本発明は、コイル状のペンを指に巻き付けるよう装着するため、指と同様の感覚で使用しながら、指先の肥大、鈍磨、変形などの身体的特徴や障害を補助できる。したがって持ち運びながら、いつでもどこでも使用できることが利点の小型携帯端末にとって、きわめて有効な入力用ペンとなりうる。
【図面の簡単な説明】
【図１】本発明のタッチパネル入力用指先機能補助装置を示す側面図。
【図２】本発明の人体を記した使用例を示す側面図である。
【図３】本発明の請求項２に記載された、コイルの巻き数を減らし、軽量、簡素化した場合の人体を記した使用例を示す側面図である。
【符号の説明】１  ペン先
２  ソケットａ
３  ソケットｂ
４  コイル状本体
５  末尾保護部品
【図１】
2014191819.tif 000003
【図２】
2014191819.tif 000004
【図３】
2014191819.tif 000005
(57)【要約】【課題】接地機能を有する静電ガンを提供する。【解決手段】本発明の静電ガンは、静電ノズルと、静電ノズルに接続されたトグルスイッチと、トグルスイッチを介して静電ノズルに接続された静電放電モジュールと、静電放電モジュールに接続された静電気を生成するための静電生成モジュールと、第一端がトグルスイッチに接続され、第二端が接地された接地モジュールと、を備えている。トグルスイッチは、静電ノズルと、静電放電モジュール又は接地モジュールのいずれかに接続され、トグルスイッチが静電ノズルと静電放電モジュールとを接続する場合、静電生成モジュールが生成した静電気は、静電放電モジュールに伝送され、静電放電モジュールは、静電ノズルによって対象物に静電気を放電し、トグルスイッチが静電ノズルと接地モジュールとを接続する場合、静電ノズルを対象物に接触させることにより、対象物に残った静電気をグランドに伝送する。【選択図】図１
2014182142.tif 000002
【特許請求の範囲】
【請求項１】
静電ノズルと、
前記静電ノズルに接続されたトグルスイッチと、
前記トグルスイッチを介して前記静電ノズルに接続された静電放電モジュールと、
前記静電放電モジュールに接続され、且つ静電気を生成するための静電生成モジュールと、
第一端が前記トグルスイッチに接続され、第二端が接地されている接地モジュールと、を備えており、
前記トグルスイッチは、前記静電ノズルと、前記静電放電モジュール又は前記接地モジュールのいずれかに接続され、前記トグルスイッチが前記静電ノズルと前記静電放電モジュールとを接続する場合、前記静電生成モジュールが生成した静電気は、前記静電放電モジュールに伝送され、前記静電放電モジュールは、前記静電ノズルによって対象物に静電気を放電し、前記トグルスイッチが前記静電ノズルと前記接地モジュールとを接続する場合、前記静電ノズルを対象物に接触させることにより、対象物に残った静電気をグランドに伝送させることを特徴とする静電ガン。
【発明の詳細な説明】
【技術分野】
【０００１】
本発明は、静電ガンに関するものである。
【背景技術】
【０００２】
静電ガンは、電子デバイスに静電気を放電して、電子デバイスの静電気の耐性をテストするために用いられる。一般的には、静電ガンを利用して、接地されていない電子デバイスに静電気を放電した後、静電気の蓄積を防止するために、接地線を介して電子デバイスを接地して静電気放電を行う。しかしこのような場合、人力と時間がかかり、また、ユーザが感電する危険性がある。
【発明の概要】
【発明が解決しようとする課題】
【０００３】
前記課題を解決するために、本発明は、接地機能を有する静電ガンを提供することを目的とする。
【課題を解決するための手段】
【０００４】
本発明に係る静電ガンは、静電ノズルと、前記静電ノズルに接続されたトグルスイッチと、前記トグルスイッチを介して前記静電ノズルに接続された静電放電モジュールと、前記静電放電モジュールに接続され、且つ静電気を生成するための静電生成モジュールと、第一端が前記トグルスイッチに接続され、第二端が接地されている接地モジュールと、を備えている。前記トグルスイッチは、前記静電ノズルと、前記静電放電モジュール又は前記接地モジュールのいずれかに接続され、前記トグルスイッチが前記静電ノズルと前記静電放電モジュールとを接続する場合、前記静電生成モジュールが生成した静電気は、前記静電放電モジュールに伝送され、前記静電放電モジュールは、前記静電ノズルによって対象物に静電気を放電し、前記トグルスイッチが前記静電ノズルと前記接地モジュールとを接続する場合、前記静電ノズルを対象物に接触させることにより、対象物に残った静電気をグランドに伝送する。
【発明の効果】
【０００５】
従来の技術と比べて、本発明に係る静電ガンは、トグルスイッチによって静電放電機能及び接地機能を切り替えることができる。従って、ユーザの安全を保障し且つテストに便利である。
【図面の簡単な説明】
【０００６】
【図１】本発明の実施形態に係る静電ガンのブロック図である。
【発明を実施するための形態】
【０００７】
以下、図面を参照して、本発明の実施形態について説明する。
【０００８】
図１を参照すると、本発明の実施形態に係る静電ガン１０は、静電ノズル２０、トグルスイッチ３０、静電放電モジュール４０、静電生成モジュール５０及び接地モジュール６０を備える。静電ノズル２０は、トグルスイッチ３０に接続されている。静電生成モジュール５０は、静電放電モジュール４０を介してトグルスイッチ３０に接続されている。トグルスイッチ３０は、接地モジュール６０を介して接地されている。
【０００９】
本実施形態において、トグルスイッチ３０は、単極双投スイッチであり、接地モジュール６０は、グランドに接続された抵抗である。トグルスイッチ３０は、初期状態において静電ノズル２０と接地モジュール６０とを接続している。トグルスイッチ３０が静電放電モジュール４０と静電ノズル２０とを接続すると、静電ノズル２０と接地モジュール６０との接続は切断され、その際、静電生成モジュール５０が生成した静電気は、静電放電モジュール４０に伝送される。その後、静電放電モジュール４０は、静電ノズル２０によって対象物に静電気を放電する。
【００１０】
対象物の放電が完了すると、トグルスイッチ３０は、静電ノズル２０と接地モジュール６０とを接続する。この時、対象物の表面に残った静電気は、静電ノズル２０を対象物に接触させることにより、グランドに伝送することができる。
【００１１】
従来の技術と比べて、本発明の静電ガン１０は、トグルスイッチ３０によって静電放電機能及び接地機能を切り替えることができる。従って、ユーザの安全を保障し且つテストに便利である。
【符号の説明】
【００１２】
１０  静電ガン
２０  静電ノズル
３０  トグルスイッチ
４０  静電放電モジュール
５０  静電生成モジュール
６０  接地モジュール
【図１】
2014182142.tif 000003
(57)【要約】【課題】従来、ポイントは、そのカードのみポイントがつき、突然、家族に買い物を頼まれても、カードをもっていなければポイントがつくことができなかったものを、親カード、子カードを作り、子カードで買い物をしたときに、親カードにポイントがつくことを提供する。【解決手段】親カードがあり、子カードを使用し買い物をした際、付加するポイントを親カードにつくという、特徴をする【選択図】図１
2014182781.tif 000002
【特許請求の範囲】
【請求項１】
親カードがあり、子カードを使用し買い物をした際、付加するポイントを親カードにつくものを設けた、子カードポイント親カード一括管理システム。
【発明の詳細な説明】
【技術分野】
【０００１】    この発明は、子カードポイント親カード一括管理システムに関するものである
【背景技術】
【０００２】    従来、カードのポイントはそのカードのみポイントがつき、他のカードに移管したりつけたりすることができなかった。
【先行技術文献】
【０００３】
【特許文献】
【非特許文献】
【非特許文献１】
【発明の概要】
【発明が解決しようとする課題】
【０００４】    これには、次のような欠点があった。
従来、ポイントは、そのカードのみポイントがつき、突然、家族に買い物を頼まれても、カードをもっていなければポイントがつくことができなかった。
本発明は、家族代表者（嫁等）が持っているカードを親カードとして、子カードを作り旦那や子どもに所持してもらい、突然の買い物にも、子カードを使用することにより、親カードにポイントがつくものである。
【課題を解決するための手段】
【０００５】  親カード、子カードを作り、それぞれを家族が所持し、ポイントは親カードにつくようにすることによって、ポイントの取り残しをなくすことができ、また、販売店も競合他社との差別化をはかることができる
本発明は、以上の構成よりなる子カードポイント親カード一括管理システムである。
【発明の効果】
【０００６】  仕事帰り、電話にて嫁に買い物を頼まれてもポイントと取り残すことがなくなる。
【図面の簡単な説明】
【０００７】
【図１】  本発明のチャート図である
【発明を実施するための形態】
【０００８】以下、本発明を実施するための形態について説明する、
親カード（１）があり、子カード（２）を使用し買い物をした際、付加するポイントを親カード（１）につくものである。
【符号の説明】
【０００９】１  親カード
２  子カード
【図１】
2014182781.tif 000003
(57)【要約】【課題】  光学式双眼鏡に於いて遠くの物体を観察する際に、手振れが生じ、安定して像を見ることができ難い。目的の像を静止画像として一度記憶素子に記憶させ、その像を安定化し、拡大などの画像処理をしてみることの出来る双眼鏡を提供する。【解決手段】対物レンズ（１）捉えた像を、ＭＯＳやＣＣＤなどの受光素子（２）で電子信号に変え、その信号を処理回路（３）で処理し、好みに応じて記憶装置（４）に静止画像として記憶させ、その静止画をＬＣＤ等の表示素子（５）に映し出し、それを接眼レンズ（６）で見ることを特徴とする。【選択図】図１
2014182366.tif 000002
【特許請求の範囲】
【請求項１】
被写体を対物レンズ（１）を通して受光素子（２）に結像させ、その像を処理回路（３）を通して記憶するための記憶装置（４）で記憶させ、記憶した静止画像をＬＣＤ等の表示素子（５）に映し出し、その像を接眼レンズ（６）を通し肉眼で見ることが出来る装置。
【発明の詳細な説明】
【技術分野】
【０００１】  この発明は、見たい画（映）像を瞬時に記憶させ、その静止画をＬＣＤ等のディスプレイに映し出し、好みの倍率で見ることが出来るものである。
【背景技術】
【０００２】  従来、双眼鏡は見たい画（映）像を拡大して見るものであって、静止画として見る方式は見当たらない。
【先行技術文献】
【０００３】
【特許文献１】特許出願２００８−１５９７２６
【特許文献２】特許出願２００２−２９７５００
【特許文献３】特許出願２００２−９７２９４
【発明の概要】
【発明が解決しようとする課題】
【０００４】  従来、双眼鏡は手振れの問題があり、８倍程度の倍率が限度であった（市販品には高倍率を謳ったものもあるが実用性は薄い）。それを高倍率にするためには、防振装置が必要とり高価になってしまう恐れがあった。
また、  光学式双眼鏡では正立像を作る必要があるため、ダハプリズムを組み合わせたりし、形状が大型化してしまう。ズームレンズ付も同様に大型化とコストアップを避けることはできない。
副次的に、光学式双眼鏡で高光源を見てしまうと眼を痛める恐れもあった。
本発明は、見たい画（映）像を静止画として捉えるため、ブレの恐れがないばかりか、現行の電子技術で、正立像、電子ズームおよび画像処理などが容易に行えるため、複雑な光学系は必要がない。
近年の半導体技術の進歩により、受光素子の画素数は上がり、電子的に」高倍率にしても、人間の目の解像度以上の観察が期待できる。
【課題を解決するための手段】
【０００５】  対物レンズ（１）により投射された像を電気信号に変えるための受光素子（２）とその電気信号を処理する回路（３）即ち、捉えた画（映）像を正立像にする、ズームする、画像処理するなどと、その像を瞬時に記憶させる記憶装置（４）とその画像情報をＬＣＤ等の表示素子（５）に映し出し、その像を接眼レンズ（６）を通して見ることの出来る双眼鏡である。
【発明の効果】
【０００６】静止画像を見るので、手振れの心配なく、かつ被写体の画像を何倍にでも拡大できる。
高光源を見てしまっても素子に入った光が飽和してしまうため安全である。
【図面の簡単な説明】
【０００７】
【図１】本発明の構成図である。
【発明を実施するための形態】
【０００８】  以下、本発明を実施するための形態について説明する。
対物レンズ（１）が捉えた像を受光素子（２）上で焦点を結ばせ、受光素子からの信号を処理回路（３）に於いて正立像にしたりし、その画像情報を好みに応じて瞬時に記憶装置（４）に記憶させ、その像を表示素子（５）に映し出し、その像を接眼レンズ（６）を通して肉眼で見る。
本発明は、以上のような構成である。
被写体を見るときには、見たい被写体を一瞬で捉え、拡大縮小して見ることが出来る。
【符号の説明】
【００９】１．    対物レンズ
２．    ＭＯＳやＣＣＤ等の受光素子
３．    処理回路
４．    記憶装置
５．    ＬＣＤ等の表示素子
６．    接眼レンズ
【図１】
2014182366.tif 000003